(57)【要約】【課題】  消費者に広告情報を提供する際に、さらに広告効果が上がるようなシステムを提供する。【解決手段】  ＣＡＴＶ網２１に接続された端末３０と、広告配信サーバ４０と、ＴＶ番組を配信する番組配信部４２とを具備し、端末３０は、番組配信部４２から配信されるＴＶ番組と広告情報の題名４８とを、表示部３１に同時に表示可能となるように、表示部の番組表示エリア７２にＴＶ番組を表示し、番組表示エリア７２の周囲の広告題名表示エリア７４に広告情報の題名４８を表示するように設けられ、表示部３１がタッチパネルで構成されており、広告情報の題名のいずれかにユーザが触れたことが検出されると、該当する広告情報４７を配信するように広告配信サーバ４０に促すように設けられ、広告配信サーバ４０から配信されてきた広告情報４７を、番組表示エリア７２に表示されているＴＶ番組に代えて番組表示エリア７２で表示するように設けられている。【選択図】        図１
2006287526.tif 000002
【特許請求の範囲】
【請求項１】
ＣＡＴＶ網に接続され、ピクチャーインピクチャー機能を有する表示部が設けられた端末と、
前記ＣＡＴＶ網を介して前記端末へ広告情報および該広告情報の題名を配信する広告配信サーバと、
前記ＣＡＴＶ網を介して前記端末へＴＶ番組を配信する番組配信部とを具備し、
前記端末は、
前記ピクチャーインピクチャー機能によって前記番組配信部から配信されるＴＶ番組と前記広告情報の題名とを、前記表示部に同時に表示可能となるように、表示部の画面ほぼ中央に配置された番組表示エリアに前記ＴＶ番組を表示し、前記番組表示エリアの周囲の複数箇所に配置された広告題名表示エリアに前記広告情報の題名を表示するように設けられ、
前記表示部がタッチパネルで構成されており、前記広告題名表示エリアに表示されている広告情報の題名のいずれかにユーザが触れたことが検出されると、該当する広告情報を配信するように前記広告配信サーバに促す広告情報要求信号を出力するように設けられ、
前記広告配信サーバから配信されてきた広告情報を、前記番組表示エリアに表示されているＴＶ番組に代えて前記番組表示エリアで表示するように設けられていることを特徴とするＣＡＴＶシステム。
【請求項２】
前記番組配信部からは複数のＴＶ番組が同時に配信され、
該複数のＴＶ番組のうちいずれのＴＶ番組を表示部に表示させるかを前記端末へ指示するスケジュール管理サーバを具備することを特徴とする請求項１記載のＣＡＴＶシステム。
【請求項３】
前記広告情報をＴＶ番組として編集してなる広告番組を予め記憶している記憶手段と、
前記広告配信サーバから端末への広告情報の配信が不能になった場合には、該記憶手段に記憶されている広告番組を前記ＣＡＴＶ網を介して前記端末へ配信させ、配信された広告番組を前記ＴＶ番組の表示に代えて前記番組表示エリアに表示させるように前記端末へ指示する広告番組配信サーバとを具備することを特徴とする請求項１または請求項２記載のＣＡＴＶシステム。
【請求項４】
ＴＶ番組の内容とは異なる内容であって、文字情報のみからなるテロップ情報を配信可能なテロップ配信サーバを具備し、
前記端末の表示部は、
番組表示エリアの左右両側の複数箇所に前記広告題名表示エリアが配置され、
番組表示エリアの下側には、前記テロップ情報を表示させるテロップ表示エリアが配置されていることを特徴とする請求項１〜請求項３のうちのいずれか１項記載のＣＡＴＶシステム。
【請求項５】
前記端末は、
ピクチャーインピクチャー機能を有しない第２の表示部が設けられ、
該第2の表示部には、1つの番組または情報のみが表示されるように設けられていることを特徴とする請求項１〜請求項４のうちのいずれか1項記載のＣＡＴＶシステム。
【発明の詳細な説明】
【技術分野】
【０００１】
本発明は、ＣＡＴＶ網を介して広告情報を提供することができるＣＡＴＶシステムに関する。
【背景技術】
【０００２】
通常の地上波によるテレビ放送で電波の届きにくい地域においてもテレビの視聴が可能となるように、有線放送であるＣＡＴＶシステムが良く知られている。
ＣＡＴＶシステムは、地上波放送を補完する目的が主であったため当初は地上波と同じＴＶ番組を放送するだけであったが、近年ではその回線を利用してインターネットへの接続も可能になっており、今後ＣＡＴＶシステムを利用した様々なサービスの提供が期待できる。
【０００３】
なお、広告情報を消費者に提供する場合、従来であれば新聞の折り込み広告、テレビ、ラジオ等の手段が主であったが、インターネットの普及により様々な形態のものが提案されている。
例えば、インターネットのホームページ上に、広告情報を提供するホームページ先がリンクされたバナー広告を埋め込むことが一般的に行なわれている。
また、バナー広告だけでは広告効果が薄いとして、所定のホームページを閲覧中に広告情報を消費者の端末に配信する方法が提案されている（例えば、特許文献１参照）。
【０００４】
さらに、上述したＣＡＴＶシステムとインターネットとを組み合わせた形態での広告情報の配信システムも提案されている（例えば、特許文献２参照）。
このシステムによれば、ＣＡＴＶシステムにおいて、テレビ番組の放送の合間のＣＭ時間中の広告情報を登録することが容易にできるものであるとしている。
【０００５】
【特許文献１】特開２００２−８３２１２号公報
【特許文献２】特開２００３−８５４３９号公報
【発明の開示】
【発明が解決しようとする課題】
【０００６】
上述した特許文献１のように、単にインターネット上での広告情報の提供に工夫をこらしたとしても、インターネットへの接続環境が整っていないような消費者に対しては、広告の効果が薄いという課題があった。
また、特許文献２のように、ＣＡＴＶ加入者に対してのＣＭ時間中の広告情報の提供だけでは、ＣＡＴＶ視聴者にとっては通常の地上波におけるＣＭと同じ効果しか得られず、さらに広告効果が上がる仕組みが望まれているという課題があった。
【０００７】
したがって、本発明は上記課題を解決すべくなされ、その目的とするところは、消費者に広告情報を提供するシステムにおいて、さらに広告効果が上がるようなシステムを提供することにある。
【課題を解決するための手段】
【０００８】
本発明にかかるＣＡＴＶシステムによれば、ＣＡＴＶ網に接続され、ピクチャーインピクチャー機能を有する表示部が設けられた端末と、前記ＣＡＴＶ網を介して前記端末へ広告情報および該広告情報の題名を配信する広告配信サーバと、前記ＣＡＴＶ網を介して前記端末へＴＶ番組を配信する番組配信部とを具備し、前記端末は、前記ピクチャーインピクチャー機能によって前記番組配信部から配信されるＴＶ番組と前記広告情報の題名とを、前記表示部に同時に表示可能となるように、表示部の画面ほぼ中央に配置された番組表示エリアに前記ＴＶ番組を表示し、前記番組表示エリアの周囲の複数箇所に配置された広告題名表示エリアに前記広告情報の題名を表示するように設けられ、前記表示部がタッチパネルで構成されており、前記広告題名表示エリアに表示されている広告情報の題名のいずれかにユーザが触れたことが検出されると、該当する広告情報を配信するように前記広告配信サーバに促す広告情報要求信号を出力するように設けられ、前記広告配信サーバから配信されてきた広告情報を、前記番組表示エリアに表示されているＴＶ番組に代えて前記番組表示エリアで表示するように設けられていることを特徴としている。
【０００９】
この構成による作用は以下の通りである。
すなわち、端末は、駅構内、ホテルのロビーまたは飲食店等の公共の場所に設置することを想定しており、不特定多数の消費者に対して広告情報を提供することができる。
端末ではピクチャーインピクチャー機能によって複数の情報が表示部に表示される。すなわち、通常時は、端末の表示部にはＣＡＴＶによるＴＶ番組が配信されて番組表示エリアに表示されており、この番組表示エリア以外のエリアには広告情報の題名が表示されている。
公共の場所にいる消費者が、ＣＡＴＶの番組をみるために端末に近づき、消費者が、気になる広告情報の題名を見て広告情報の詳細を知りたいと欲した場合には、消費者がこの題名を触れることで該当する広告情報が配信されてくる。そして配信された広告情報は、ＴＶ番組が表示されていた番組表示エリアに表示される。
つまり、公共の場所において広告情報だけを流しても消費者は注意を引きにくいが、本願発明では、通常時はＴＶ番組を表示させているので、ＴＶ番組によって消費者の注意を引きつけておいてからあらためて広告情報を提供でき、消費者への広告効果を上げることができる。また、ＣＡＴＶ網を用いていることで、1台の端末に対して主幹ケーブルは1本で通常のＴＶ番組と広告情報とを配信可能になるため、設備投資も高額にならずに済む。
【００１０】
前記番組配信部からは複数のＴＶ番組が同時に配信され、該複数のＴＶ番組のうちいずれのＴＶ番組を表示部に表示させるかを前記端末へ指示するスケジュール管理サーバを具備することを特徴としてもよい。
この構成によれば、予め消費者の興味を引きやすいＴＶ番組を選択してスケジュールに組込んでおくことができる。
【００１１】
また、前記広告情報をＴＶ番組として編集してなる広告番組を予め記憶している記憶手段と、前記広告配信サーバから端末への広告情報の配信が不能になった場合には、該記憶手段に記憶されている広告番組を前記ＣＡＴＶ網を介して前記端末へ配信させ、配信された広告番組を前記ＴＶ番組の表示に代えて前記番組表示エリアに表示させるように前記端末へ指示する広告番組配信サーバとを具備することを特徴としている。
この構成によれば、広告配信サーバがフリーズしたり端末側のケーブルモデムがフリーズしたり故障するなどして広告情報が配信されないような事態に陥ってしまった場合、端末は単なるＴＶ受像機と同様の働きしか有していないこととなってしまう。そこで、これを回避すべく、予め広告情報をＴＶ番組として編集しておき、これを配信して表示することによって、端末が単なるＴＶ受像機となってしまうのを防ぐことができる。なお、ここでいう記憶手段とは、ＨＤＤ、ＤＶＤまたはビデオテープ等の映像を記憶させておく手段であればどのようなものであってもよい。
【００１２】
さらに、前記番組配信サーバは、ＴＶ番組の内容とは異なる内容であって、文字情報のみからなるテロップ情報を配信可能に設けられ、前記端末の表示部は、番組表示エリアの左右両側の複数箇所に前記広告題名表示エリアが配置され、番組表示エリアの下側には、前記テロップ情報を表示させるテロップ表示部が配置されていることを特徴としてもよい。
この構成によれば、ＴＶ番組によって消費者を引きつけるだけではなく、テロップ情報によってさらに多くの消費者を引きつけることができる。また、このように番組表示エリアの左右両側に広告情報の題名エリアを配置することで、ＴＶ番組を見ようとしてきた消費者に対して、つい広告情報も見てみようという気にさせることができる。
【００１３】
なお、前記端末は、ピクチャーインピクチャー機能を有しない第２の表示部が設けられ、該第2の表示部には、1つの番組または情報のみが表示されるように設けられていることを特徴としてもよい。
この構成によれば、第2の表示部では常にＴＶ番組等の表示がなされているので、消費者を引きつける効果をさらに上げることができる。
【発明の効果】
【００１４】
本発明のＣＡＴＶシステムによれば、消費者に広告情報を提供する際に、公共の場所などにおいて容易に消費者を引きつけることができるので、広告効果を上げることができる。また、ＣＡＴＶ網を利用することで、かかるシステムを比較的安価に提供することができる。
【発明を実施するための最良の形態】
【００１５】
（実施例１）
本発明のＣＡＴＶシステムの好適な実施例について添付図面に基づいて説明する。
まず、図１に基づいてシステム全体の構成について説明する。
ＣＡＴＶシステム２０は、駅構内、ホテルのロビー、飲食店内など公衆が集まる場所に設置されている１または複数の端末３０が、ＣＡＴＶ網２１を介してＣＡＴＶ局１０内と接続されて構成されている。
端末３０は、ＴＶ番組（地上波の再配信およびＣＡＴＶ局の自主制作番組を含む）と、ＣＡＴＶ網２１とインターネット接続されることで得られる広告情報との双方を表示させることができるものである。
【００１６】
ＣＡＴＶ網２１としては、具体的には同軸ケーブルあるいは光ケーブルによって構成される。ＣＡＴＶ網２１を構成するケーブルは、端末設置個所において２分配保安器２２で２本のケーブルに分配され、分配されたうちの１本がケーブルモデム２３を介して端末３０に接続されるので端末３０はインターネット接続が可能となり、他の１本がセットトップボックス２４を介して端末３０に接続されるので端末３０はＴＶ番組の配信が可能となる。
【００１７】
次に、ＣＡＴＶ局１０内の構成について説明する。
ＣＡＴＶ局１０内には、ＨＴＭＬ形式の広告情報が記憶されており、この広告情報を端末３０へ配信する広告配信サーバ４０と、ＴＶ番組を端末３０へ配信する番組配信部４２と、端末３０で表示されるＴＶ番組のスケジュール管理を行うスケジュール管理サーバ４４と、広告情報を番組として予め編集した広告番組を端末へ配信する広告番組配信サーバ４６と、が設けられている。
これら各サーバ４０，４４および４６は、ＬＡＮ構築されており、このＬＡＮケーブルがＣＡＴＶ局側のケーブルへの出力端部であるヘッドエンド５０に接続され、ヘッドエンド５０からＣＡＴＶ網２１に各サーバ４０，４４および４６の情報が出力される。
【００１８】
ＣＡＴＶ局１０から端末３０へ配信されるＴＶ番組としては、地上波放送からのＴＶ番組を受信してこれをＣＡＴＶ網２１を使用して配信する再配信と、ＣＡＴＶ局１０内で自主制作されたＴＶ番組を配信する場合とがある。
また、地上波放送には複数の放送局があるため、ＣＡＴＶ局１０からは予め多チャンネルのＴＶ番組が同時に端末３０へ配信されている。
【００１９】
地上波放送からのＴＶ番組は、ＣＡＴＶ局１０内に設置されたアンテナ１２で受信され、番組配信部４２ではアンテナ１２が受信したＴＶ番組を必要に応じて（例えばデジタル放送を受信している場合等）データ変換等を行ない、リアルタイムで端末３０へ配信できるように設けられている。
また地域情報等の発信を行なうべく、ＣＡＴＶ局１０で自主制作されたＴＶ番組は、生放送の場合にはカメラ１４から、または録画されているＴＶ番組はビデオテープ等の記録媒体が収納された再生装置１５から番組配信部４２へ出力され、端末３０へ配信される。
【００２０】
以下、図２〜図６に基づいて各サーバについて説明する。
図２に示すように、広告配信サーバ４０は、ＨＴＭＬ形式で作成された広告情報４７および広告情報の題名４８を予め記憶しておく記憶手段５１と、端末３０からの要請（広告情報要求信号Ａの受信）に基づいて記憶手段５１内に記憶されている広告情報４７を端末３０に配信するための制御手段５２とを具備している。広告情報としては動画であっても、静止画であってもよい。
また、制御手段５２は、広告情報４７を配信する場合には、端末３０が番組配信部４２から配信されたＴＶ番組の表示を中止させ、代わりに広告情報４７を表示するように指示する表示切換制御信号Ｂを端末３０へ出力する。
【００２１】
図３に示すように、スケジュール管理サーバ４４は、端末３０が表示するＴＶ番組のスケジュール管理を行なう制御手段５４を具備する。すなわち、端末３０には多チャンネルのＴＶ番組が同時に配信されるが、いずれのチャンネルのＴＶ番組を表示させるかをＣＡＴＶ局１０側で制御するために設けられている。
スケジュール管理サーバ４４の制御手段５４は、予め決められたタイムスケジュール５３に基づいてＴＶ番組の配信を行うように、端末３０に対してスケジュール制御信号Ｃを出力し、端末３０におけるＴＶ番組のスケジュール管理を行う。タイムスケジュール５３は、いつでも変更可能となるように記憶手段５５等に記憶させておく。
【００２２】
図１および図４に示すように、予め広告情報４７をＴＶ番組化した広告番組５７を、ビデオテープ等の記憶手段に記憶させてある。
広告番組配信サーバ４６は、広告配信サーバ４０がフリーズ等したり、端末３０側のケーブルモデム２３のフリーズや故障等様々な要因によって広告情報４７の配信が不能になったときに、記憶手段から広告番組５７を再生可能な再生装置５８から、広告番組５７をＴＶ番組として出力させるように制御する制御手段５９を具備している。
【００２３】
広告番組配信サーバの制御手段５９は、ＰＩＮＧ（Packet INternet Groper）機能６０を有している。ＰＩＮＧ機能６０によって、制御手段５９は所定間隔おきに診断信号Ｄを広告配信サーバ４０および各端末３０に出力し、診断信号Ｄに対する返信が所定時間以内にかえってこなかった場合には、返信がかえってこなかった機器がフリーズまたは故障等しており、広告情報４７の配信ができないものとして判断する。
そして制御手段５９は、再生装置５８を駆動させ、広告番組５７を端末３０へ配信するように動作する。また、この制御手段５９は、広告番組５７を配信させる場合には、端末３０が番組配信部４２から配信されたＴＶ番組の表示を中止させ、代わりに広告番組５７を表示するように指示する番組切換制御信号Ｅを端末３０へ出力する。
【００２４】
さらに、図１および図５に示すように、ＣＡＴＶ局１０内には文字情報のみからなるテロップ情報を配信可能なテロップ配信サーバ６２を設けている。
テロップ配信サーバ６２は、ニュースや天気予報等の内容を、文字のみの情報であるテロップ情報６３としてＨＴＭＬ化して記憶してある記憶手段６４と、記憶手段６４内のテロップ情報６３を端末３０へ配信するように制御する制御手段６５とを具備している。
テロップ配信サーバ６２の制御手段６５は、端末３０からの要請がなくても常時テロップ情報６３を端末３０へ配信するように制御する。また、テロップ配信サーバ６２の制御手段６５は、配信するテロップ情報６３の内容を所定時間おきに更新して配信するように制御する。
【００２５】
また、図１および図６に示すように、ＣＡＴＶ局１０内には、端末３０が設置されている公共の場所にいる公衆に対して何らかの情報の提供をするためのアナウンス用の静止画６７を端末３０へ配信するアナウンス配信サーバ６６を設けても良い。
アナウンス配信サーバ６６は、アナウンス用の静止画６７を記憶した記憶手段６８と、該静止画６７を端末３０へ配信させるように制御する制御手段７０とを具備している。アナウンス用の静止画６７としては、例えば端末３０が駅構内に設置されている場合には列車の遅れや事故の発生等の連絡、ホテルのロビーに設置されている場合には団体客への案内やお客様の呼び出し等が考えられる。
【００２６】
アナウンス配信サーバ６６の制御手段７０は、アナウンス用の静止画６７を予め決まったタイムスケジュールで配信するか、あるいは何らかの事情により急遽アナウンスをする必要があるときに、アナウンス用の静止画６７を端末３０へ配信すると共に、アナウンス切換制御信号Ｆを端末３０へ出力する。
端末３０では、アナウンス切換制御信号Ｆに基づいて、ＴＶ番組または広告情報の表示を中止し、配信されてきたアナウンス用の静止画６７を表示させる。
【００２７】
次に、端末の構成を、図７および図８に基づいて説明する。
端末３０は、液晶等からなる表示部３１が設けられているが、液晶に限定することはなくＰＤＰ（Plasma Display Panel）やＣＲＴ（Cathode Ray Tube）であってもよい。
端末３０には、スケジュール管理サーバ４４からのスケジュール制御信号Ｃに基づいていずれのチャンネルのＴＶ番組を表示部３１に表示させるかを選択する選択部３２と、ＣＡＴＶ網２１を介して配信されてきたＴＶ番組や広告情報４７等を表示部３１に映像を表示させるためのデータ処理を実行する映像処理部３３と、表示部３１に複数の映像を表示させるように表示部３１を制御し、且つ広告配信サーバ４０からの表示切換制御信号Ｂ、広告番組配信サーバ４６からの番組切換制御信号Ｅ、またはアナウンス配信サーバ６６からのアナウンス切換制御信号Ｆに基づいて表示の切り換えを実行するピクチャーインピクチャー回路３４と、消費者からの要求に基づいてＣＡＴＶ局１０側に情報等を発信するための発信部３５とを有する制御手段３６を具備している。
【００２８】
表示部３１の表面にはタッチパネルが設けられており、消費者からの指示はタッチパネルによって行なわれることとなる。タッチパネルのいずれかの箇所を消費者が接触すると、タッチパネル制御部３７によって消費者が接触した表示部３１上の位置座標が算出される。
算出された位置座標がどのような情報について表示されていたかは発信部３５によって特定され、算出された位置情報に基づく信号をＣＡＴＶ局１０側へ発信する。
【００２９】
発信部３５には予め表示部３１の位置座標と、この位置座標に該当する広告情報４７が格納されている広告配信サーバ４０のＵＲＬとを予め記憶してある記憶手段（図示せず）が設けられている。
発信部３５は、消費者がタッチパネルを触れた位置座標が判明すると、この位置座標に該当する広告情報４７が格納されたＵＲＬを記憶手段から検索して抽出し、抽出したＵＲＬに対して広告情報を配信させるように広告情報要求信号Ａを出力する。
【００３０】
表示部について図８に基づいて説明する。
表示部３１は、画面のほぼ中央に形成された番組表示エリア７２と、番組表示エリア７２の左右両側の複数箇所に配置されている広告題名表示エリア７４と、番組表示エリア７２と広告題名表示エリア７４の下側に配置されているテロップ表示エリア７６と、番組表示エリア７２と広告題名表示エリア７４の上側に配置されてＣＡＴＶシステムのロゴを表示するロゴ表示エリア７７とから構成される。
【００３１】
番組表示エリア７２には、通常時はＴＶ番組が表示されている。
また、広告題名表示エリア７４は、複数個所設けられており、それぞれ異なる題名の広告情報４７を案内する機能を有している。消費者がいずれかの題名に触れるとこの題名の中身である広告情報４７が番組表示エリア７２に表示される。
【００３２】
テロップ表示エリア７６には、文字情報のみから成るテロップ情報６３が表示される。テロップ情報６３の内容としては、ニュースや天気予報等が考えられるが、内容としてはこれらに限定することはなく、例えば広告情報４７を文字だけで表示させたものであってもよい。
これら各表示エリア７２〜７７における表示内容は、ピクチャーインピクチャー回路３４によって制御されている。
【００３３】
続いて、本実施例のＣＡＴＶシステム２０の全体動作について説明する。
通常時は、番組配信部４２が配信した多チャンネルのＴＶ番組のうち、スケジュール管理サーバ４４が出力したスケジュール制御信号Ｃに基づいて選択部３２が選択したＴＶ番組が番組表示エリア７２に表示されている。
【００３４】
また、広告題名表示エリア７４に広告情報４７の題名４８が表示されている。題名そのもののデータは広告配信サーバ４０から配信されてくるものであり、いずれの題名がどの位置に表示されるかは、予め決めた位置になるようにピクチャーインピクチャー回路３４が制御している。ここで、広告情報の題名４８とは、広告情報４７が飲食店の情報であればその飲食店の店名等であり、その他企業の情報であればその企業の企業名とするのが一般的である。
【００３５】
また、テロップ表示エリア７６には、テロップ配信サーバ６２から配信されたテロップ情報６３が表示されるように、ピクチャーインピクチャー回路３４が制御している。
【００３６】
ＴＶ番組が番組表示エリア７２に表示されていると、公共の場所にいる消費者がＴＶ番組を見ようと端末３０に近づいてくる。テロップ表示エリア７６に表示されているテロップについても同様に、消費者はテロップの内容に興味を示して端末に近づいてくると思われる。
【００３７】
番組表示エリア７２の周囲には、広告情報の題名４８が複数表示されているので、消費者はその中から興味を引いた題名部分のタッチパネルに触れて広告情報４７を得ようとする。
消費者がタッチパネルのいずれかの位置に触れると、その触れた位置の座標はタッチパネル制御部３７によって算出される。この位置座標は、発信部３５へ入力される。
【００３８】
発信部３５では、消費者がタッチパネルに触れてタッチパネル制御部３７によって算出された位置座標が入力されてくると、記憶手段内から該当する広告配信サーバ４０のＵＲＬを検索して抽出し、抽出したＵＲＬに対して広告情報を配信させるように広告情報要求信号Ａを出力する。
【００３９】
広告情報要求信号Ａを受け付けた広告配信サーバ４０は、要求されたＵＲＬに記憶されている広告情報４７と表示切換制御信号Ｂとを、要求してきた端末３０へ配信する。
端末３０では、広告情報４７および表示切換制御信号Ｂを受信すると、ピクチャーインピクチャー回路３４が、番組表示エリア７２へのＴＶ番組の表示を中止し、ＴＶ番組に代えて番組表示エリア７２には広告情報４７を表示させるように制御する。
【００４０】
このようにして、通常時には表示部３１の中央部分のエリア７２にはＴＶ番組を表示させておいて、消費者からの要求があった場合には、表示部３１の中央部分のエリア７２ではＴＶ番組に代えて要求された広告情報４７を表示させることができるので、最初にＴＶ番組を表示させて消費者を引き付けることで広告宣伝の効果が高まるものと期待される。
【００４１】
また、広告配信サーバ４０がフリーズまたは端末３０側のケーブルモデム２３のフリーズまたは故障等で広告情報４７の配信が不能になったことを広告番組配信サーバ４６が検知した場合には、広告番組配信サーバ４６は予め編集して記憶手段（図示せず）に記憶させておいた広告番組５７を再生装置５８から配信させ、且つ番組切換制御信号Ｅを端末３０へ配信する。
番組切換制御信号Ｅを受信した端末３０のピクチャーインピクチャー回路３４は、番組表示エリア７２へのＴＶ番組の表示を中止し、ＴＶ番組に代えて番組表示エリア７２には広告番組５７を表示させるように制御する。
【００４２】
（実施例２）
次に、端末に2つの表示部を設けた実施例について説明する。なお、上述した実施例と同一の構成要素については同一の符号を付し、説明を省略する場合がある。
図９に示すように、端末３０には、上述した実施例におけるピクチャーインピクチャー回路３４によって複数の映像を表示できる表示部３１と、ピクチャーインピクチャー回路が設けられておらず、１つの番組または情報しか表示されない第２表示部８０とが設けられている。
第２表示部８０は、表示部３１の上方に配置され、主として公共の場所にいる消費者の注意をさらに引くために設けられている。
【００４３】
第２表示部８０は、スケジュール管理サーバ４４からのスケジュール制御信号Ｃに基づいていずれのチャンネルのＴＶ番組を第２表示部８０に表示させるかを選択する選択部８２と、ＣＡＴＶ網２１を介して配信されてきたＴＶ番組や広告情報を第２表示部８０に映像を表示させるためのデータ処理を実行する映像処理部８４とを有する制御手段８６が接続されている。
また、第２表示部８０にはタッチパネルは設けられておらず、消費者側からＣＡＴＶ局１０側へ何らかの指示を出すことはできない。
【００４４】
第２表示部８０では、通常時にはスケジュール制御信号Ｃに基づいて、表示部３１における番組表示エリア７２に表示されるＴＶ番組と同一の番組が表示される。
また、アナウンス用の静止画６７およびアナウンス切換制御信号Ｆを受信した場合には、制御手段８６は、ＴＶ番組の表示を中止しアナウンス用の静止画６７を表示させるように制御してもよい。
第２表示部８０において、表示部３１で消費者が指示した広告情報４７を表示させることは想定していないが、広告情報４７を表示させるように制御手段８６が制御してもよい。
【００４５】
なお、第２表示部８０と表示部３１とは、１台の端末３０内に一体に設けるのではなく、切り離して別体に設けてもよい。
【００４６】
（実施例３）
次に、端末の監視や広告情報のアップデート等を実行する機能を備えた実施例について説明する。なお、実施例１および実施例２において説明した構成要素と同一の構成要素については説明を省略する場合がある。
本実施例では、ＣＡＴＶ局１０とは別に配信監視センター９０が設けられている。配信監視センター９０内には、稼働状況の監視やメンテナンス等を実行する監視サーバ９２と、新たな広告情報を入力・作成できるアップデート端末９４とが配置されている。
【００４７】
配信監視センター９０内の監視サーバ９２と、アップデート端末９４とは、配信監視センター９０内でＬＡＮで接続され、モデム９５およびルータ９７を介してＣＡＴＶ局１０内のＬＡＮに専用回線または公衆回線を介して接続されている。
【００４８】
図１１に示すように、監視サーバ９２には、端末監視手段９６、リモートメンテナンス手段９８、システムアップデート手段９９、ログ保存手段１００が設けられている。
端末監視手段９６は、端末３０がエラーを起こしたかどうかを監視する機能を有しており、端末３０から出力されたエラー信号Ｇを受信することによって端末３０がエラーを起こした事を検出することができる。
端末監視手段９６がエラーを起こしたことが検出された場合、リモートメンテナンス手段９８が作動し、エラーを起こした端末３０に対してメンテナンスプログラム１０１を送信する。メンテナンスプログラム１０１を受信した端末３０では、このメンテナンスプログラム１０１が端末３０の制御手段３６内で作動してエラーの修復を図ることができる。
なお、端末３０のエラー修復は、人手による修復作業とメンテナンスプログラム１０１による修復作業を組み合わせて実行してもよい。
【００４９】
また、端末３０の制御手段３６を作動させているファームウェアの更新をするために、システムアップデート手段９９は、新たなファームウェア１０２を端末３０へ配信することができる。新たなファームウェア１０２を受信した端末においては、受信した新たなファームウェアに自動更新される。
さらに、ログ保存手段１００では、端末３０から送信されてきたログを保存する機能を有している。
【００５０】
アップデート端末９４は、ＣＡＴＶ局１０の広告配信サーバ４０に接続し、広告配信サーバ４０の記憶手段５１内に記憶されている広告情報４７を更新したり削除したりすることができる。またアップデート端末９４は、アナウンス配信サーバ６６に接続し、アナウンス配信サーバ６６の記憶手段６８に記憶されているアナウンス用の静止画６７を更新したり削除したりすることができる。
このような機能を有するアップデート端末９４としては、通常のパソコンを採用することができる。
【００５１】
（その他の実施例）
上述してきた実施例では、端末３０での広告情報４７は表示部３１で表示されるのみであった。
しかし、表示された広告情報４７を紙その他の媒体に出力するための出力手段を端末３０に設けてもよい（図示せず）。
例えば、端末３０にプリンタを設け、消費者は表示している広告情報を印刷して持ち帰ることができるようにしてもよい。また、このとき広告情報にクーポンや地図が含まれていると、これらを印刷して持ち帰る意義が高い。
【００５２】
さらに、端末にカードリーダ／ライタ装置を設けてもよい。カードリーダ／ライタ装置は、予め広告主が発行しているポイントカード等を読み込み・書き込み可能であって、消費者が持参したポイントカード等にポイントを付加することができる。
このように、端末３０に出力手段を設けることによって、消費者が本システム２０を使用する動機が高まり、広告効果を更に上げることができる。
【００５３】
以上本発明につき好適な実施例を挙げて種々説明したが、本発明はこの実施例に限定されるものではなく、発明の精神を逸脱しない範囲内で多くの改変を施し得るのはもちろんである。
【図面の簡単な説明】
【００５４】
【図１】本発明の実施例１の全体構成を示す説明図である。
【図２】広告配信サーバの構成を示すブロック図である。
【図３】スケジュール管理サーバの構成を示すブロック図である。
【図４】広告番組配信サーバの構成を示すブロック図である。
【図５】テロップ配信サーバの構成を示すブロック図である。
【図６】アナウンス配信サーバの構成を示すブロック図である。
【図７】端末の内部構成を示すブロック図である。
【図８】表示部の表示エリアについて説明する説明図である。
【図９】実施例２における端末の内部構成を示すブロック図である。
【図１０】実施例３におけるシステム全体構成を示す説明図である。
【図１１】監視サーバの構成を示す説明図である。
【符号の説明】
【００５５】
１０   ＣＡＴＶ局
１２   アンテナ
１４   カメラ
１５   再生装置
２０   ＣＡＴＶシステム
２１   ＣＡＴＶ網
２２   分配保安器
２３   ケーブルモデム
２４   セットトップボックス
３０   端末
３１   表示部
３２   選択部
３３   映像処理部
３４   ピクチャーインピクチャー回路
３５   発信部
３６，５２，５４，５９，６５，７０，８６      制御手段
３７   タッチパネル制御部
４０   広告配信サーバ
４２   番組配信部
４４   スケジュール管理サーバ
４６   広告番組配信サーバ
４７   広告情報
４８   題名
５０   ヘッドエンド
５１，５５，６４，６８      記憶手段
５３   タイムスケジュール
５７   広告番組
５８   再生装置
６０   ＰＩＮＧ機能
６２   テロップ配信サーバ
６３   テロップ情報
６６   アナウンス配信サーバ
６７   静止画
７２   番組表示エリア
７４   広告題名表示エリア
７６   テロップ表示エリア
７７   ロゴ表示エリア
８０   第２表示部
８２   選択部
８４   映像処理部
９０   配信監視センター
９２   監視サーバ
９４   アップデート端末
９５   モデム
９６   端末監視手段
９７   ルータ
９８   リモートメンテナンス手段
９９   システムアップデート手段
１００ ログ保存手段
１０１ メンテナンスプログラム
１０２ ファームウェア
Ａ     広告情報要求信号
Ｂ     表示切換制御信号
Ｃ     スケジュール制御信号
Ｄ     診断信号
Ｅ     番組切換制御信号
Ｆ     アナウンス切換制御信号
Ｇ     エラー信号                                                                     
【図１】
2006287526.tif 000003
【図２】
2006287526.tif 000004
【図３】
2006287526.tif 000005
【図４】
2006287526.tif 000006
【図５】
2006287526.tif 000007
【図６】
2006287526.tif 000008
【図７】
2006287526.tif 000009
【図８】
2006287526.tif 000010
【図９】
2006287526.tif 000011
【図１０】
2006287526.tif 000012
【図１１】
2006287526.tif 000013